(57)【特許請求の範囲】
【請求項１】
被験者の前方に設置されるスクリーンと、
前記スクリーンへの投影を行うための投影手段と、
前記投影手段によって投影される投影情報として、前記スクリーンの異なる位置にランダムに視標を間欠的に表示させる視標情報を提供する視標表示指令手段と、
前記投影手段によって投影される投影情報として、フロントウインドガラスの窓枠形状に関する窓枠形状情報を提供する窓枠表示指令手段と、
前記スクリーンに表示される前記視標を検出する視標検出手段と、
被験者によってマニュアル操作され、前記スクリーンに前記視標が表示されたときに操作される反応スイッチと、
被験者の脳波を検出する脳波検出手段と、
前記スクリーンに窓枠形状が表示された状態で、該スクリーンへの前記視標の表示開始を前記視標検出手段が検出した時点から前記反応スイッチが操作されるまでの反応時間を記憶する反応時間記憶手段と、
前記スクリーンに窓枠形状が表示された状態で、該スクリーンへの前記視標の表示開始を前記視標検出手段が検出した時点から前記脳波検出手段によって検出される脳波の変化を記憶する脳波記憶手段と、
を備えていることを特徴とする自動車の外界認知性計測システム。
【請求項２】
被験者の前方に設置されるスクリーンと、
前記スクリーンへの投影を行うための投影手段と、
前記スクリーンと被験者との間に設置され、実車の窓枠あるいは実車の窓枠を模した模写窓枠となる実物の窓枠と、
前記投影手段によって投影される投影情報として、前記スクリーンの異なる位置にランダムに視標を間欠的に表示させる視標情報を提供する視標表示指令手段と、
前記スクリーンに表示される前記視標を検出する視標検出手段と、
被験者によってマニュアル操作され、前記スクリーンに前記視標が表示されたときに操作される反応スイッチと、
被験者の脳波を検出する脳波検出手段と、
前記スクリーンへの前記視標の表示開始を前記視標検出手段が検出した時点から前記反応スイッチが操作されるまでの反応時間を記憶する反応時間記憶手段と、
前記スクリーンへの前記視標の表示開始を前記視標検出手段が検出した時点から前記脳波検出手段によって検出される脳波の変化を記憶する脳波記憶手段と、
を備えていることを特徴とする自動車の外界認知性計測システム。
【請求項３】
請求項１または請求項２において、
前記投影手段によって投影させる投影情報として、前方風景に関する前方風景情報を提供する前方風景指令手段をさらに備えている、ことを特徴とする自動車の外界認知性計測システム。
【請求項４】
請求項１ないし請求項３のいずれか１項において、
前記脳波検出手段が、被験者の頭部に分散配置された多数の脳波センサを備え、
前記脳波記憶手段が、前記多数の脳波センサに対応した脳波の変化を個々独立して記憶する、
ことを特徴とする自動車の外界認知性計測システム。
【請求項５】
請求項３において、
前記前方風景指令手段が、車両停止時の前方風景と車両走行中の前方風景とを提供可能とされ、
前記脳波記憶手段が、車両停止時の前方風景に対応した脳波の変化と車両走行中の前方風景に対応した脳波の変化とを個々独立して記憶するようにされ、
前記脳波記憶手段に記憶されている車両停止時の前方風景に対応した脳波の変化と車両走行中の前方風景に対応した脳波の変化とを比較することにより、走行中での脳活動を推測するための脳活動比較手段さらに備えている、
ことを特徴とする自動車の外界認知性計測システム。
【請求項６】
請求項５において、
前記脳活動比較手段が、車両停止時の前方風景に対応した脳波の変化と車両走行中の前方風景に対応した脳波の変化との差分を求めるようにされている、ことを特徴とする自動車の外界認知性計測システム。
【請求項７】
請求項１ないし請求項６のいずれか１項において、
被験者の眼に関する情報を検出する視認情報検出手段と、
前記視認情報検出手段によって検出された眼に関する情報を記憶する視認情報記憶手段と、
をさらに備えていることを特徴とする自動車の外界認知性計測システム。
【請求項８】
請求項１ないし請求項７のいずれか１項において、
前記脳波検出手段が、脳波を検出するものとされ、
前記脳波記憶手段が、脳波を記憶する、
ことを特徴とする自動車の外界認知性計測システム。
【発明の詳細な説明】
【技術分野】
【０００１】
本発明は、自動車の外界認知性計測システムに関するものである。
【背景技術】
【０００２】
自動車においては、運転者は、フロントウインドガラスを通して前方風景を視認することになる。フロントウインドガラスは、その上縁部がルーフにより仕切られ、その左右縁部が左右一対のフロントピラーによって仕切られ、その下縁部がインストルメントパネルにより仕切られた窓枠構造となっている。したがって、運転者は、このフロントウインドガラスの窓枠構造によって、フロントウインドガラスを通しての外界認知性に関して大きな影響を受けることになる。
【０００３】
運転者による外界の認知性に関する技術として、特許文献１に示すように、実際の道路での運転者の有効視界を計測するようにしたものがある。
【先行技術文献】
【特許文献】
【０００４】
【特許文献１】特開２０１１−２０６０７２号公報
【発明の概要】
【発明が解決しようとする課題】
【０００５】
ところで、最近では、被験者の前方に配設されたスクリーンに種々の走行状況に応じた前方風景を投影させつつ、運転を模擬的に行わせるドライビングシミュレータが普及しつつある。このドライビングシミュレータの多くは、被験者が着座される運転席、ステアリングハンドル、アクセルペダル、ブレーキペダル等が装備されて、実際に運転している状況を仮想的に実現することが可能である。そして、運転者によりマニュアル操作される反応スイッチを設けて、例えばスクリーン上に視標が表示された際に、反応スイッチを操作するようにして、各種の運転状況に応じた運転者の反応時間を計測することも行われている。
【０００６】
一方、運転に際しては、各種の運転状況に応じた反応時間を計測しただけでは、実際に運転者がどのような意識でもって運転をしているかを正確に判断することが難しいものとなる。特に、運転者は、運転中に活発に脳活動を行っているが、反応時間が同じであっても脳活動が大きく相違することもある。
【０００７】
本発明は以上のような事情を勘案してなされたもので、その目的は、運転者による前方への外界認知性について、脳活動の状況をも加味してより精度よく計測できるようにした自動車の外界認知性計測システムを提供することにある。
【課題を解決するための手段】
【０００８】
前記目的を達成するため、本発明にあっては、基本的に、ドライビングシミュレータを発展させて、運転者に相当する被験者の脳活動をも計測できるようにしたものである。具体的には、本発明にあっては次のような第１の解決手法を採択してある。
【０００９】
すなわち、請求項１に記載のように、
被験者の前方に設置されるスクリーンと、
前記スクリーンへの投影を行うための投影手段と、
前記投影手段によって投影される投影情報として、前記スクリーンの異なる位置にランダムに視標を間欠的に表示させる視標情報を提供する視標表示指令手段と、
前記投影手段によって投影される投影情報として、フロントウインドガラスの窓枠形状に関する窓枠形状情報を提供する窓枠表示指令手段と、
前記スクリーンに表示される前記視標を検出する視標検出手段と、
被験者によってマニュアル操作され、前記スクリーンに前記視標が表示されたときに操作される反応スイッチと、
被験者の脳波を検出する脳波検出手段と、
前記スクリーンに窓枠形状が表示された状態で、該スクリーンへの前記視標の表示開始を前記視標検出手段が検出した時点から前記反応スイッチが操作されるまでの反応時間を記憶する反応時間記憶手段と、
前記スクリーンに窓枠形状が表示された状態で、該スクリーンへの前記視標の表示開始を前記視標検出手段が検出した時点から前記脳波検出手段によって検出される脳波の変化を記憶する脳波記憶手段と、
を備えているようにしてある。
また、前記目的を達成するため、本発明にあっては次のような第２の解決手法を採択してある。すなわち、請求項２に記載のように、
被験者の前方に設置されるスクリーンと、
前記スクリーンへの投影を行うための投影手段と、
前記スクリーンと被験者との間に設置され、実車の窓枠あるいは実車の窓枠を模した模写窓枠となる実物の窓枠と、
前記投影手段によって投影される投影情報として、前記スクリーンの異なる位置にランダムに視標を間欠的に表示させる視標情報を提供する視標表示指令手段と、
前記スクリーンに表示される前記視標を検出する視標検出手段と、
被験者によってマニュアル操作され、前記スクリーンに前記視標が表示されたときに操作される反応スイッチと、
被験者の脳波を検出する脳波検出手段と、
前記スクリーンへの前記視標の表示開始を前記視標検出手段が検出した時点から前記反応スイッチが操作されるまでの反応時間を記憶する反応時間記憶手段と、
前記スクリーンへの前記視標の表示開始を前記視標検出手段が検出した時点から前記脳波検出手段によって検出される脳波の変化を記憶する脳波記憶手段と、
を備えているようにしてある。
【００１０】
上記解決手法によれば、実際の運転を行うことなくシミュレーションの形式でもって、運転者となる被験者の前方への外界認知性に関するデータとして、反応時間に加えて脳活動の状況をも含めたものとして、窓枠を通しての外界認知性に関するより精度のよいデータを得ることができる。これにより、例えばフロントウインドガラスの窓枠形状等を、より運転が楽しめることを重視した設定や疲労感の少ない設定等、その最適化を容易に行う等の上で好ましいものとなる。
【００１１】
上記解決手法を前提とした好ましい態様は、特許請求の範囲における請求項３以下に記載のとおりである。すなわち、
前記投影手段によって投影させる投影情報として、前方風景に関する前方風景情報を提供する前方風景指令手段をさらに備えている、ようにしてある（請求項３対応）。この場合、前方風景を利用して、外界認知性に関するデータを実際の運転状況により近い状況で把握することができる。
【００１２】
【００１３】
前記脳波検出手段が、被験者の頭部に分散配置された多数の脳波センサを備え、
前記脳波記憶手段が、前記多数の脳波センサに対応した脳波の変化を個々独立して記憶する、ようにしてある（請求項４対応）。この場合、脳の種々の部位についての活動状況を個別に把握することができ、外界認知性についてより精度のよいデータを得る上で好ましいものとなる。
【００１４】
前記前方風景指令手段が、車両停止時の前方風景と車両走行中の前方風景とを提供可能とされ、
前記脳波記憶手段が、車両停止時の前方風景に対応した脳波の変化と車両走行中の前方風景に対応した脳波の変化とを個々独立して記憶するようにされ、
前記脳波記憶手段に記憶されている車両停止時の前方風景に対応した脳波の変化と車両走行中の前方風景に対応した脳波の変化とを比較することにより、走行中での脳活動を推測するための脳活動推測手段さらに備えている、
ようにしてある（請求項５対応）。この場合、走行中における外界認知性に関する特有の脳活動を精度よく把握することができる。
【００１５】
前記脳活動比較手段が、車両停止時の前方風景に対応した脳波の変化と車両走行中の前方風景に対応した脳波の変化との差分を求めるようにされている、ようにしてある（請求項６対応）。この場合、走行中に特有の脳活動を推測するためのデータを得るための具体的な手法が提供され、しかも差分をとるという簡単な手法でもって走行中における外界認知性についての特有の脳活動を精度よく把握することができる。
【００１６】
被験者の眼に関する情報を検出する視認情報検出手段と、
前記視認情報検出手段によって検出された眼に関する情報を記憶する視認情報記憶手段と、
をさらに備えているようにしてある（請求項７対応）。この場合、被験者の眼に関する情報、例えば、視認位置、焦点距離、瞳孔径等の情報をも得て、外界認知性をより精度よく把握することができる。
【００１７】
前記脳波検出手段が、脳波を検出するものとされ、
前記脳波記憶手段が、脳波を記憶する、
ようにしてある（請求項８対応）。この場合、脳の活動状況を振幅という一般的なパラメータでもって検出することができる。
【発明の効果】
【００１８】
本発明によれば、窓枠を通しての前方への外界認知性をより精度よくしかも簡単に計測することができる。
【図面の簡単な説明】
【００１９】
【図１】本発明が適用されたドライビングシミュレータおよびその制御系統例を示す全体図。
【図２】スクリーンに対して前方風景と固視点と視標とが投影された状態を示す図。
【図３】スクリーン上で視標が表示される多数の位置を示す図。
【図４】被験者に対する脳波センサの設定位置を示す図。
【図５】被験者に対して、多数の脳波センサが搭載されたヘッドギアを装着した状態と、眼に関する情報を検出するアイマークレコーダとを装着した状態を示す側面図。
【図６】本発明の制御例を示すフローチャート。
【図７】本発明の第２の実施形態を示すもので、図１に対応した図。
【図８】スクリーンに対して、直線路を走行している状況となる前方風景を投影している状態を示す図。
【図９】スクリーンに対して、カーブの直前を走行している状況となる前方風景を投影している状態を示す図。
【図１０】スクリーンに対して、カーブを走行している状況となる前方風景を投影している状態を示す図。
【図１１】第２の実施形態での制御例を示すフローチャート。
【図１２】第２の実施形態での制御例を示すフローチャートで、図１１の続きを示す。
【図１３】視標提示位置と反応時間との関係例を示す図。
【図１４】停車中と走行中とでの脳波の振幅の相違例を示す図。
【図１５】視標の提示位置と反応時間との関係を３次元マップとして示す図。
【図１６】視標の提示位置と脳波の振幅との関係を３次元マップとして示す図。
【発明を実施するための形態】
【００２０】
図１において、ＤＳは、ドライビングシミュレータである。このドライビングシミュレータＤＳは、運転者としての被験者Ｊが着座される運転席１と、ステアリングハンドル２と、運転席１の前方に配設されたスクリーン３と、スクリーン３に各種映像を投影するための投影手段としてのプロジェクタ４と、を有する。ドライビングシミュレータＤＳは、この他、図示を略すアクセルペダルやブレーキを有している。ステアリングハンドル２には、被験者Ｊによりマニュアル操作される例えばプッシュ式の反応スイッチ５が設けられている。
【００２１】
被験者Ｊには、多数の脳波センサ６が装備されたヘッドギア７が装着される。被験者Ｊの頭部に対する多数の脳波センサ６の配設例が図４に示される。脳波センサ６は、実施形態では合計１６個が分散配置されているが、脳波センサ６の個数はこれよりも多くても少なくてもよいものである（脳波センサ６の接続コードは図示略）。また、被験者Ｊに対してヘッドギア７を装着した状態の詳細が図５に示される。なお、図５では、後述する別の実施形態で用いるアイマークレコーダ８が、被験者Ｊの眼球の近傍に装着された状態が示される。
【００２２】
再び図１において、Ｕはマイクロコンピュータを利用して構成されたコントローラである。このコントローラＵは、道路情報記憶手段１１、車両情報記憶手段１２、走行情報記憶手段１３、視標提示手段１４と接続されている。また、ステアリングハンドル２やアクセルペダルブレーキペダルの操作系の操作タイミングや操作量を検出する反応スイッチ（センサ）１５が設けられ、またスクリーン３に表示される視標の位置、表示開始タイミング、表示終了タイミングを検出する視標センサ１６が設けられている。
【００２３】
コントローラＵに内蔵された記憶手段には、プロジェクタ４を介してスクリーン３に投影される前方風景等の各種表示のための情報を記憶している。コントローラＵに記憶される情報としては、道路に関する情報、フロントウインドガラスの窓枠構造（形状、大きさ等）に関する情報がある。上記道路に関する情報は、例えば、高速道路、ワインディングロード、市街路等に関して、直線路、曲線路（カーブ）を区別して記憶されており、また停止中の映像と、複数の各車速での映像とに区別して記憶されている。この記憶情報の中から選択された適宜の映像が、プロジェクタ４によってスクリーン３に投影（表示）される。このように、コントローラＵは、前方風景指令手段や窓枠形状指令手段を有しているが、これらに関する記憶情報量が多いときは、別途ハードディスク等の大容量の記憶手段に記憶させて、コントローラＵはそこからの読出しによって前方風景等に関する情報をプロジェクタ４に出力するようにしてもよい。
【００２４】
計測機能を兼ねた道路情報記憶手段１１によって、スクリーン３に対して投影された道路に関する情報が計測、記憶される。スクリーン３に投影された道路上を、被験者Ｊがステアリングハンドル２等を操作しつつ模擬的に走行操作を行っている際に、そのときの車両位置、車速、加速度、向き等の情報が、計測機能を兼ねた車両情報記憶手段１２によって計測、記憶される。同様に、模擬的な走行操作を行っている際に、ステアリングハンドル２の操作量や操作タイミング、アクセルペダルおよびブレーキペダルの操作量や操作タイミング等が、計測機能を兼ねた走行情報記憶手段１３に計測、記憶される。上記車両情報記憶手段１２での記憶内容および反応スイッチ１５からの信号が動作計測部２０に入力されて、動作データとして互いに関連づけられた状態でもって、動作データ記憶手段２１に記憶される。
【００２５】
視標提示手段１４は、図２に示すように、スクリーン３に対して固視点αの他に、適宜のタイミング等で視標βを表示させる指令を行うもので、固視点αおよび視標βは、プロジェクタ４によってスクリーン３に表示される。視標提示手段１４は、視標の表示開始タイミング、表示終了タイミング、表示位置、表示の色等も合わせて指令するものとなっている。そして、スクリーン３に投影された視標βは、視標センサ１６によって、その表示開始タイミング、指示終了タイミング等を含めて、表示視標計測部２２に出力されて、視標データ記憶手段２３に記憶される。
【００２６】
動作データ処理部２４によって、前記動作データ記憶手段２１と視標データ記憶手段２３との各記憶データに基づいて、視標βの提示開始からの運転者Ｊの反応時間が、動作データ記憶手段２１に記憶されているデータと関連付けられた状態で処理され、この処理結果が反応時間記憶部２５に記憶される。
【００２７】
前記脳波センサ６での検出結果が、脳波計測部２６によって脳波として計測され、その計測結果が、脳波データ処理部２７に記憶される。脳波データ処理部２８によって、脳波データ記憶手段２７の記憶内容と前記視標データ記憶手段２３の記憶内容とに基づいて、視標βに関する情報と脳波データととが関連付けられる処理が行われ、この処理結果が脳波データ関連情報記憶部２９に記憶される（視標表示開始時点からの脳電位の変化が記憶される）。勿論、各計測あるいは記憶されたデータは、視標βの表示開始時点を基準として、互いに同期づけられたもの（時間的相関関係を有するもの）となっている。
【００２８】
図２には、プロジェクタ４によって、スクリーン３に、前方風景としての市街路が投影され、この市街路は直線路でその左右に電柱を有するものとされている。そして、スクリーン３に、その中央部において固視点αが常時表示され、また、適宜のタイミングでもって視標βが適宜の位置に適宜の時間だけ表示される。実施形態では、スクリーン３が上下方向および左右方向に互いに等面積の複数の領域に分割されて(実施形態では合計１５の領域に分割で、分割線はスクリーン３には表示されない）、視標βが、いずれか１つの領域に表示されるようになっている。
【００２９】
運転者Ｊは、固視点αを注視している状態で、視標βが表示されたタイミングでもって反応スイッチ５を操作することになる。そして、この視標βの表示位置等に関する情報と共に、視標βの表示開始からの反応時間と視標βの提示開始からの脳波の変化とが計測され、この計測に関する最終的なデータが、図１の反応時間記憶部２５および脳波関連情報記憶部２９に記憶されることになる。なお、この記憶部２５、２９の記憶内容については、後述する。
【００３０】
次に、図６に示すフローチャートを参照しつつ、前述した計測のための制御例について説明する。なお、以下の説明でＱはステップを示す。まず、Ｑ１において、ドライビングシミュレータＤＳの走行が開始される。次いでＱ２において、各情報記憶手段１１〜１３での計測、記憶が開始されると共に、動作計測部２０、表示視標計測部２２、脳波計測部２６での計測が、互いに同期させて開始される。
【００３１】
Ｑ２の後、Ｑ３において視標βの表示タイミングであることが確認されると、Ｑ４において、図３に示す複数領域のうちいずれの位置に視標βを表示すべきかの情報が取得される。そして、Ｑ５において、Ｑ４で取得された位置において視標βが表示される。Ｑ５の後、Ｑ６において、視標βの表示を消去すべきタイミングになったことを確認した後、Ｑ７において、表示されていた視標βの表示が消去される。
【００３２】
Ｑ７の後、Ｑ８において、図３に示す全ての位置について視標βの表示と表示消去とが行われたか否かが判別される。このＱ８の判別でＮＯのときは、Ｑ３に戻る。Ｑ８の判別でＹＥＳのときは、Ｑ９において、各情報記憶手段１１〜１３での計測、記憶が終了されると共に、動作計測部２０、表示視標計測部２２、脳波計測部２６での計測が終了される。
【００３３】
上述のようにして、ある１つの走行条件の場合について、視標βの表示位置を変更しつつ、反応時間のデータと脳波の変化のデータとが取得されることになる。例えば前方風景を変更したり、車速を変更したり(前方風景の流れ早さの変更）、フロントウインドガラスの窓枠形状を変更する等して、これらに対応した数多くの反応時間と脳波の変化のデータが取得されることになる。
【００３４】
図７は本発明の第２の実施形態を示すものであり、図１に対応している。本実施形態では、図１の場合に比して、走行軌跡や運転のふらつき等の走行データをも記憶するようにしてある。すなわち、各情報記憶部１１〜１３からの出力を受ける走行データ処理部３１によって、模擬的に運転した結果となる走行軌跡や車両のふらつき等が演算により取得されて、その結果が走行データ記憶部３２に記憶される。
【００３５】
また、本実施形態では、スクリーン３の前方に実物車両Ｖを配置して、被験者時が実物車両Ｖに搭乗する形態としてある。被験者Ｊは、実物車両Ｖのフロントウインドガラス（の窓枠内）を通してスクリーン３を目視することになり、実物車両の窓枠形状等が外界認知性に与える影響を精度よく計測できるようにしてある。なお、実物車両Ｖの代わりに、実物車両の窓枠構造をそのまま模した模写窓枠を用いるようにしてもよい。
【００３６】
本実施形態では、さらに、前述したアイマークレコーダ８を利用したデータが処理、記憶される。すなわち、視線計測部３３によって、例えば視線方向、焦点距離、瞳孔の径等が計測される。視線計測部３３での計測結果は、視線データとして視線データ記憶部３４に記憶された後、視線データ記憶部３６に記憶される。上記視線データ記憶部３４の記憶データは、視線データ処理部３５の処理を経て、脳波データ処理部２８に入力される。すなわち、脳波データ処理部２８では、視標に関する情報に加えて、視線に関する情報をも加味した内容でもって、最終的に脳波データ関連情報記憶部２９に記憶されることになる(視線をも加味した外界認知性のデータの取得）。
【００３７】
本実施形態では、固視点αも表示と表示消去とが行われるようになっている。図８〜図１０は、走行中の前方風景が順次変化する状況を示している。すなわち、図８に示す直線路を走行している状態から、図９に示す曲線路の手前を走行している状態へと変化し、図１０の曲線路を走行している状態へと変化するものとなっている。図８では、固視点αがある一定位置に表示される一方、視標βが表示されていない状態が示される。図９では、固視点αおよび視標β共に表示されない状態が示される。図１０では、固視点αが表示されず、視標βが右端に表示された状態が示される。なお、固視点αの表示時間は、固視点αを運転者Ｊが十分に認識するのに十分な時間だけ表示され続ける。
【００３８】
本実施形態における制御例となるフローチャートが図１１、図１２に示される。以下このフローチャートについて説明するが、図６のフローチャートと相違する部分を中心に説明することとする。
【００３９】
まず、Ｑ２１、Ｑ２２は図６のＱ１、Ｑ２に対応しているが、Ｑ２２では視線計測も開始される。Ｑ２２の後、Ｑ２３〜Ｑ２６の処理によって、固視点αの表示と表示消去の制御が行われる。この後、Ｑ２７〜Ｑ３６の処理によって、視標βの表示と表示消去の制御が行われる。Ｑ３６の後、Ｑ３７において、計測等が終了されるが、視線計測も終了される(図６のＱ９対応）。
【００４０】
ここで、視標表示に対応した反応時間の一例が図１３に示される。図１３では、停車時と走行時との差が比較して示される。図１３の処理は、シミュレーションの結果となる例えば図６の表示視標計測の結果と動作計測に含まれる反応時間との対応付けの処理となり、図示を略すコンピュータを利用した比較手段での処理結果となる。
【００４１】
同様に、ある位置に表示された視標βに対応した脳波の変化の様子が、図１４に示される。この図１４中、時間０の時点は、視標βの表示開始時点となる。図１４の実線が停車時に対応して、波線が走行時に対応している。図１４中、Ｐ１、Ｐ２、Ｐ３は、ポジティブ側となる脳波のピーク値を示し、またＮ１、Ｎ２、Ｎ３はネガティブ側のピーク値を示す。脳科学的には、Ｐ３の発生時点が、脳が十分に視標βを認識をした時点として把握される。
【００４２】
停車時でのＰ３の発生時点よりも、走行時でのＰ３の発生時点の方が遅れる、ということが理解される。すなわち、視標βという外界認知に関して、走行中は、停車時よりも遅れて認知され、その認知遅れの程度が、各Ｐ３発生時点での時間差によって把握することができる。
【００４３】
図１４中ハッチングで示すように、Ｐ３時点以降の脳波が、停車時と走行時とで大きく相違している。停車時では、Ｐ３発生時点から比較的すみやかに振幅が０付近となる（脳活動の低下）。一方、走行中は、Ｐ３発生時点から振幅が０付近になるまでに長い時間を要している。このことは、走行中は、視標βの認知に関して停車時に比してより多く脳活動している（脳エネルギの消費）ということになる。このように、走行中において景色が流れるように認知されることの影響（オプティカルフローによる影響）からくる外界認知性について、精度よく判断（推測）する上で好ましいものとなる。
【００４４】
取得（記憶）されている時系列データとなる停車時の脳波の変化と走行時の脳波の変化とを比較することにより、走行中に特有の脳活動状態を知ることができる。この比較は、具体的には、例えば停車時と走行時との脳波の差分をとることにより、あるいは各脳波について時間周波数分析を行うことにより行うことができる。勿論、このような比較は、図示を略すコンピュータを利用した比較手段（推測手段）での処理結果となる。
【００４５】
図１５は、視標βの表示位置を、直角座標としてのＢＬ方向（Ｘ軸方向となる車体の車幅方向で、スクリーン３の左右方向に対応）とＷＬ方向（Ｙ軸方向となる車体の前後方向で、スクリーン３の上下方向に対応）にとり、反応時間を縦軸方向（Ｚ軸方向）にとったもので、各視標位置に関する反応時間が３次元マップの形式で把握される。この３次元マップによって、反応時間と視標βの表示位置との関係が一目瞭然となる。同様に、視標βの表示位置を直角座標に表示し、脳波データとなる振幅をＺ軸にとったときの３次元マップの一例が図１６に示される。
【００４６】
以上実施形態について説明したが、本発明は、実施形態に限定されるものではなく、特許請求の範囲の記載された範囲において適宜の変更が可能である。スクリーン３に投影されるフロントウインドガラスの窓枠あるいは模写窓枠構造について、その形状や大きさ、色、質感、テクスチャ等の特定変更してシミュレーションを行うことにより、例えば運転のしやすい窓枠（窓枠周辺）形状等を検討する等のことができる。勿論、本発明の目的は、明記されたものに限らず、実質的に好ましいあるいは利点として表現されたものを提供することをも暗黙的に含むものである。
【産業上の利用可能性】
【００４７】
本発明は、外界認知性を考慮しつつフロントウインドガラスの窓枠形状等の設計を行う場合に好適である。
【符号の説明】
【００４８】
ＤＳ:ドライビングシミュレータ
Ｊ：被験者
α：固視点
β：視標
Ｖ：実物車両
Ｕ：コントローラ（制御手段）
１：運転席
２：ステアリングハンドル
３：スクリーン
４：プロジェクタ
５：反応スイッチ
６：脳波センサ
７：ヘッドギア
８：アイマークレコーダ
２３：視標データ記憶部
２５：反応時間記憶部
２７：脳波データ記憶部
２９：脳波データ関連情報記憶部
３６：視線データ記憶部
【図１】
0006570224.tif 000002
【図２】
0006570224.tif 000003
【図３】
0006570224.tif 000004
【図４】
0006570224.tif 000005
【図５】
0006570224.tif 000006
【図６】
0006570224.tif 000007
【図７】
0006570224.tif 000008
【図８】
0006570224.tif 000009
【図９】
0006570224.tif 000010
【図１０】
0006570224.tif 000011
【図１１】
0006570224.tif 000012
【図１２】
0006570224.tif 000013
【図１３】
0006570224.tif 000014
【図１４】
0006570224.tif 000015
【図１５】
0006570224.tif 000016
【図１６】
0006570224.tif 000017